(57)【特許請求の範囲】
【請求項１】
光源から前方へ光を照射する信号灯器において、前記光源の前側に配されるレンズユニットであって、
前記光源から入射した光の配光を定めるレンズと、該レンズの表面に一体に組み合わされて配光された光の視認角度を制限する視角制限体とからなり、
前記視角制限体は、面状で透明な基体の表裏面に細幅に延びる複数の遮光性帯を並設してなるものであり、前記基体の表面の遮光性帯と裏面の遮光性帯とは、平面視で同一位置に同一方向、同一幅および同一間隔で並設されていることを特徴とするレンズユニット。
【請求項２】
前記視角制限体は、前記レンズの表面の保護材を兼ねることを特徴とする請求項１に記載のレンズユニット。
【請求項３】
前記レンズと前記視角制限体とは、互いに合致する形状に設けられ、少なくとも周縁同士が溶着されたことを特徴とする請求項１または２に記載のレンズユニット。
【請求項４】
前記レンズと前記視角制限体との少なくとも何れか一方の周縁に、信号灯器の筐体側に固定するための取付片を予め一体に設けたことを特徴とする請求項１，２または３に記載のレンズユニット。
【発明の詳細な説明】
【技術分野】
【０００１】
本発明は、光源から前方へ光を照射する信号灯器において、前記光源の前側に配されるレンズユニットに関する。
【背景技術】
【０００２】
従来より、道路の交差点等に設置される信号灯器に関して、複雑な形状の交差点では運転者や歩行者の信号誤認を防止するために、左右方向における視認角度を制限する場合がある。このように視認角度を制限する手段には、一般に筐体の正面壁にある前面カバーを囲む全筒ないし半筒型のフード（庇）や、さらにその円筒の中に複数枚の配光制御用の羽根を備えたルーバーを設けたものが知られていた。
【０００３】
しかし、前記筒型のフードだけでは、視認角度の制限が十分ではなく、また、筒の中にルーバーを設けたフードでは部品点数が多く組立工数も嵩み、重量増加やコスト高を招いていた。また、標準的なフードよりも前方に大きく突出した構造となるため、風の影響を強く受けたり、降雪時には積雪量も増えるため、特別な強度対策が必要となり、さらにコスト高を招く虞があった。また、ルーバーが筐体の外部に露出しているため、ルーバーの隙間に雪が付着したり、塵埃等が堆積しやすく、信号灯が見づらくなる虞もあった。
【０００４】
さらに、最近では多数のＬＥＤを基板に実装したＬＥＤユニットを光源とするＬＥＤ信号灯器も普及している。このようなＬＥＤ信号灯器では、ＬＥＤユニットを筐体内に収容し、前面側を透明な前面カバーで覆った構造となっているが、ＬＥＤユニット等の内部構造が嵩張らないため、筐体全体を薄型化して、前記フードも取り付けないものが、いわゆるフラット型と称されている（例えば特許文献１参照）。かかるフラット型の場合は、前記ルーバーを設けることができなかった。
【０００５】
以上のような従来の信号灯器における視角制限に関する問題に鑑みて、本件出願人は、フラット型の信号灯器にも適用できる視角制限プレートとして、光が透過する薄板状内部に細幅形で長手方向に延びる遮光性の光遮断部を複数列に並ぶ状態に配置して、各光遮断部の互いに対向する両側面に前方への光反射を防止する処理を施した技術を既に提案している（特許文献２参照）。
【先行技術文献】
【特許文献】
【０００６】
【特許文献１】意匠登録第１３３３６５１号公報
【特許文献２】特開２０１４−１２７１３５号公報
【発明の概要】
【発明が解決しようとする課題】
【０００７】
しかしながら、前述した特許文献２に記載の従来技術では、視角制限プレートは、板内部に複数列の光遮断部を一体成形するものであり、その成形には特殊な押出成形の技術を要すものであった。そのため、視角制限プレートの製造コストが嵩むことになり、信号灯器全体としてもコストアップを招くという問題があった。
【０００８】
また、前記視角制限プレートが兼用し得る信号灯器の前面カバーは、配光特性を定めるようなレンズ的な機能は一切備えないものであった。ところが、光源の配光特性は、ＬＥＤ自体の構成や配置向きだけに頼ることなく、ＬＥＤとは別にレンズによっても、所定の配光特性（例えば、光柱の向きや照射範囲等）に設定することが重要となっている。
【０００９】
本発明は、以上のような従来技術の有する問題点に着目してなされたものであり、簡易な構成によりコスト高を招くことなく、様々な光源にも汎用的に適用することができ、光源からの光の配光を適宜定めることができると共に、配光された光の視認角度を確実に制限することができる信号灯器用のレンズユニットを提供することを目的としている。
【課題を解決するための手段】
【００１０】
前述した目的を達成するための本発明の要旨とするところは、以下の各項の発明に存する。  
［１］光源（２０）から前方へ光を照射する信号灯器（１０）において、前記光源（２０）の前側に配されるレンズユニット（３０Ａ）であって、
前記光源（２０）から入射した光の配光を定めるレンズ（３０）と、該レンズ（３０）の表面に一体に組み合わされて配光された光の視認角度を制限する視角制限体（４０）とからなり、
前記視角制限体（４０）は、面状で透明な基体（４１）の表裏面に細幅に延びる複数の遮光性帯（４２）を並設してなるものであり、前記基体の表面の遮光性帯と裏面の遮光性帯とは、平面視で同一位置に同一方向、同一幅および同一間隔で並設されていることを特徴とするレンズユニット（３０Ａ）。
【００１１】
［２］前記視角制限体（４０）は、前記レンズ（３０）の表面の保護材を兼ねることを特徴とする前記［１］に記載のレンズユニット（３０Ａ）。
【００１２】
［３］前記レンズ（３０）と前記視角制限体（４０）とは、互いに合致する形状に設けられ、少なくとも周縁同士が溶着されたことを特徴とする前記［１］または［２］に記載のレンズユニット（３０Ａ）。
【００１３】
［４］前記レンズ（３０）と前記視角制限体（４０）との少なくとも何れか一方の周縁に、信号灯器（１０）の筐体（１１）側に固定するための取付片（３２）を予め一体に設けたことを特徴とする前記［１］，［２］または［３］に記載のレンズユニット（３０Ａ）。
【００１４】
次に、前述した解決手段に基づく作用を説明する。  
前記［１］に記載のレンズユニット（３０Ａ）によれば、レンズ（３０）と視角制限体（４０）とを一部品として容易に取り扱うことができ、信号灯器（１０）における取り付け作業も同時に行うことができる。また、視角制限体（４０）は、レンズ（３０）によって保持することができ、レンズ（３０）の表面は、視角制限体（４０）によって保護することができる。
【００１５】
レンズユニット（３０Ａ）は、一部品としてレンズ（３０）と視角制限体（４０）の両方の機能を果たす。すなわち、レンズ（３０）により、光源（２０）からの光の配光特性を適宜定めることができ、視角制限体（４０）により、レンズ（３０）で配光された光の視認角度を制限することができる。ここで視認角度の制限によれば、信号灯器（１０）の灯火を、例えば左右方向における一定角度の範囲内でしか見えないようにすることができる。
【００１６】
特に、視角制限体（４０）は、光が透過する面状で透明な基体（４１）の表裏面に細幅に延びる複数の遮光性帯を並設してなるものであり、前記基体の表面の遮光性帯と裏面の遮光性帯とは、平面視で同一位置に同一方向、同一幅および同一間隔で並設されている。このような簡易な構成により、レンズ（３０）から配光された光の視認角度を確実に制限することが可能となる。しかも、ＬＥＤ（２２）に限らず様々な種類の光源（２０）にも汎用的に適用することができ、また、全体形状を薄型化することが可能となり、信号灯器（１０）の筐体（１１）に容易に配置することができる。
【００１７】
前記［２］に記載したレンズユニット（３０Ａ）によれば、視角制限体（４０）は、レンズ（３０）の表面の保護材を兼ねる。これにより、レンズ（３０）の表面を保護するようなカバー部材の代わりとなり、信号灯器（１０）の部品点数を増やすことなく、視認角度を制限することができる。なお、レンズユニット（３０Ａ）を信号灯器（１０）の筐体（１１）の最前面に位置させれば、そのまま筐体（１１）の外装とすることができる。
【００１８】
前記［３］に記載したレンズユニット（３０Ａ）によれば、レンズ（３０）と視角制限体（４０）とは、互いに合致する形状に設けられ、少なくとも周縁同士が溶着される。これにより、レンズ（３０）と視角制限体（４０）との全面同士を接着するような必要はなく、これらの間に接着剤中の気泡等を含めた異物が入り込む虞もない。
【００１９】
前記［４］に記載したレンズユニット（３０Ａ）によれば、レンズ（３０）と視角制限体（４０）との少なくとも何れか一方の周縁に、信号灯器（１０）の筐体（１１）側に固定するための取付片（３２）を予め一体に設けた。これにより、信号灯器（１０）の筐体（１１）に容易に取り付けることができる。
【発明の効果】
【００２０】
本発明に係る信号灯器用のレンズユニットによれば、レンズと視角制限体とを一部品として容易に取り扱うことができ、信号灯器における取り付け作業も同時に行うことができる。
しかも、簡易な構成によりコスト高を招くことなく、様々な光源にも汎用的に適用することができ、光源からの光の配光を適宜定めることができると共に、配光された光の視認角度を確実に制限することができる。
【図面の簡単な説明】
【００２１】
【図１】本発明の実施の形態に係るレンズユニットを示す正面図と、その一部拡大図である。
【図２】本発明の実施の形態に係るレンズユニットを示す側面図である。
【図３】本発明の実施の形態に係るレンズユニットの視角制限体による視角制限を説明する模式図である。
【図４】本発明の実施の形態に係るレンズユニットを備えた信号灯器を分解して示す分解断面図（断面のハッチングは省略）である。
【図５】本発明の実施の形態に係るレンズユニットを備えた信号灯器を示す正面図である。
【図６】本発明の実施の形態に係るレンズユニットを備えた信号灯器を示す平面図である。
【図７】本発明の実施の形態に係るレンズユニットを備えた信号灯器を示す側面図である。
【図８】本発明の実施の形態に係るレンズユニットを備えた信号灯器を示す縦断面図（断面のハッチングは省略）である。
【図９】本発明の実施の形態に係るレンズユニットを備えた信号灯器の筐体を開いた状態を示す斜視図である。
【発明を実施するための形態】
【００２２】
以下、図面に基づき本発明を代表する実施の形態を説明する。  
図１〜図３は、本発明の実施の形態を示している。  
本実施の形態に係るレンズユニット３０Ａは、信号灯器１０に備えられ、光源であるＬＥＤユニット２０の前側に配されるものである。本レンズユニット３０Ａは、ＬＥＤユニット２０から入射した光の配光を定めるレンズ３０と、該レンズ３０の表面に一体に組み合わされて配光された光の視認角度を制限する視角制限体４０とからなる。
【００２３】
先ずレンズ３０は、例えば透明な合成樹脂により、平面状に広がる円板形に形成されている。かかるレンズ３０の表面は平らな滑面であるが、レンズ３０の裏面、すなわち前記ＬＥＤ２２に対向する面は、ＬＥＤ２２から入射した光の配光特性（例えば光柱の向きや照射範囲等）を定める細かな凹凸が所定パターンで密に並ぶ断面形状に光学設計されている。なお、具体的な配光特性は、適宜定め得る設計事項である。レンズ３０の材質は無色透明な合成樹脂が適するが、ＬＥＤ２２の発光色に合わせて着色しても良い。
【００２４】
レンズ３０の外周には、その全周に亘り底浅の円筒形に延びるフランジ３１が形成されており、該フランジ３１の内径は、前記ＬＥＤ２２の基板２３を取り囲む大きさに設計されている。また、フランジ３１の外周に沿って、レンズ３０の表面よりも一段低い位置に延出した段部３１ａが設けられている。かかる段部３１ａは、後述する信号灯器１０の前面扉１３にある開口部１３ａの内周縁に係合する部位となる。
【００２５】
次に視角制限体４０は、前記レンズ３０により配光された光の視認角度を制限するものである。図１，図３に示すように、視角制限体４０は、面状で透明な基体４１の表裏面に、互いに表裏で厚さ方向に合致する位置で細幅に延びる複数の遮光性帯４２を所定間隔おきに並設してなる。ここで基体４１は「面状」であれば、それ自体の剛性で平面状に保たれる板やプレートに限らず、可撓性のあるフィルムやシートであっても良い。
【００２６】
本実施の形態では、前記基体４１は、透明な合成樹脂により平面状に広がる円板形に形成されている。ここで基体４１の大きさは、前記レンズ３０の表面に合致する外径に設計されている。また、基体４１の厚さは、適宜定め得る設計事項であるが、視角制限体４０によって制限する視認角度を設定する上で重要な値となる。かかる視認角度の具体的な制限について、詳しくは図３において後述する。
【００２７】
基体４１の表裏面において、各遮光性帯４２は、それぞれが所定の細幅で直線状に延びており、互いに平行に所定間隔おきに密に並設されている。ここで重要なのは、基体４１の表裏面における各遮光性帯４２が、互いに基体４１の表裏で厚さ方向に合致する位置となることである。すなわち、視角制限体４０の平面視において、表裏の各遮光性帯４２は、互いの位置、向き、幅、隙間が全て合致して、平面上で重なり合うように設けられていることである。
【００２８】
このような遮光性帯４２は、既存の印刷技術によって実現可能なものであるが、特定の印刷技術に限定されるものではない。ただし、視角制限体４０は、後述するが筐体１１の前面に位置して外装をなすものであり、外部に露出して風雨に晒される部位となることから、容易には劣化しない耐久性が求められる。遮光性帯４２の塗料としては、遮光性がある成分を含有し、ある程度の耐久性を備えた塗料であれば足りる。
【００２９】
各遮光性帯４２の幅や互いの間隔の具体的な寸法値は、それぞれ信号灯器１０に求められる視認角度の制限範囲に応じて適宜設定すれば良い。かかる視認角度の制限範囲を設定する上で、基体４１の厚さや、遮光性帯４２をなす塗料の塗装厚の具体的な値も重要となる。これらの値と視認角度の関係についても、詳しくは図３において後述する。
【００３０】
視角制限体４０は、レンズ３０の表面に重ね合わせた状態で、該レンズ３０と一体に組み合わされたユニットとして構成されている。ここで視角制限体４０をレンズ３０と一体に組み合わせるには、例えば、視角制限体４０とレンズ３０の周縁同士を溶着させれば良い。また、レンズ３０とフランジ３１の外周に沿って、信号灯器１０の筐体１１側に固定するための取付片３２が予め一体成形されている。
【００３１】
また、視角制限体４０の配置に関して、各遮光性帯４２が上下に延びて横列に並ぶ配置とすれば、左右方向における視認角度を制限することになり、各遮光性帯４２が左右に延びて縦列に並ぶ配置とすれば、上下方向、すなわち遠近における視認角度を制限することになる。なお、各遮光性帯４２が延びる方向を示す上下、左右とは、絶対的なものでなく相対的なものであり、視角制限体４０の姿勢に応じて変化するが、信号灯器１０の実際の設置状態における上下方向を、視角制限体４０でも上下方向とする。
【００３２】
次に、本レンズユニット３０Ａを備えた信号灯器１０について説明する。  
本実施の形態に係る信号灯器１０は、道路の交差点や鉄道線路等に設置されるものであり、図４〜図９に示すように、筐体１１の内部に光源をなすＬＥＤユニット２０が組み込まれている。特に本信号灯器１０は、筐体１１が正面視で左右方向に延びた長方形であり、筐体１１全体が奥行き方向に薄型化され、信号灯器１０の前後が平面をなしている。
【００３３】
筐体１１は、設置箇所に固定される本体１２と、該本体１２の前面開口を開閉する前面扉１３とからなる。本体１２は、後述するＬＥＤユニット２０の厚さに合わせた奥行き方向に底浅な長方形のケース状に形成され、その内部に、ＬＥＤユニット２０や関連部品を配設するスペースを備えている。ＬＥＤユニット２０は、本体１２の背面部に固定され、その前面側が前面扉１３と平行に対向する状態に配置されている。
【００３４】
前面扉１３は、前記本体１２の前面開口に重なる長方形の枠状に形成され、その前面壁に、横並びに３つ円形の開口部１３ａが設けられている。前面扉１３と本体１２とは、それぞれ上端縁が互いにヒンジ１４を介して連結されており、また、本体１２の下端縁には、前面扉１３の下端縁に係止する周知の留め具１５が設けられている。この開口部１３ａに合致するように、レンズユニット３０Ａは、その取付片３２でネジ止めされている。
【００３５】
詳しく言えば、図８に示すように、レンズユニット３０Ａのうちレンズ３０の段部３１ａが開口部１３ａの内周縁に係合すると、レンズ３０の表面が、前面扉１３の前面壁の基準面と同一面上に連なるように設計されている。ただし、視角制限体４０の板厚を加味して、レンズ３０の表面に重なる視角制限体４０の表面が、前面扉１３の前面壁の基準面と同一面上に連なるように設計しても良い。このような筐体１１の前面側におけるレンズユニット３０Ａの各部位の具体的な配置は、適宜定め得る設計事項である。
【００３６】
図４、図５に示すように、ＬＥＤユニット２０は、例えば３色灯（三位式）の交通信号灯器に適用される場合は、青、黄、赤の点灯色ごとのユニットとして前記本体１２の背面部に固定され、所定の電気信号に応じて点灯するユニットである。すなわち、ＬＥＤユニット２０は、筐体１１の内部で前記前面扉１３側に取り付けられたレンズユニット３０Ａのうちレンズ３０の裏面側に対向する状態となる。
【００３７】
ＬＥＤユニット２０は、前方に向かって開口する有底円筒体からなるケース２１を有している。ケース２１の前面開口は、ＬＥＤ２２の基板２３で覆われている。図８に示すように、基板２３は、ケース２１の前面開口より前方の位置で固定され、前面開口との間に放熱用の隙間を空けた状態で配されている。ここで基板２３は、一般的なプリント配線基板であり、その円形の表面側には多数のＬＥＤ２２が実装されている。ＬＥＤ２２は、発光素子を略砲弾型のモールドに埋め込んだＬＥＤランプに限らず、リード線上に実装された発光素子のみからなるＬＥＤチップでも良い。
【００３８】
各ＬＥＤユニット２０ごとに、３色灯の場合は図５の正面視で左から順に青色、黄色、赤色と、それぞれの灯色に発光するＬＥＤ２２が用いられている。なお、基板２３の裏面側等の適所には、図示省略したが電線や信号線等を接続するコネクタが設けられており、電源ユニットや点灯制御を行う制御装置等に接続されている。さらに、ＬＥＤ２２の光量は専用のスイッチによって任意に調整できるように設定されている。
【００３９】
次に、本実施の形態に係るレンズユニット３０Ａないし信号灯器１０の作用について説明する。図８において、ＬＥＤユニット２０の各ＬＥＤ２２から前方へ照射された光は、その前側に配されたレンズユニット３０Ａのうち、先ずはレンズ３０により、予め定められた所定の配光特性（例えば光柱の向きや照射範囲等）に制御される。次いで視角制限体４０により、レンズ３０から出射された光の視認角度を制限することができる。
【００４０】
図３に示すように、視角制限体４０は、透明な合成樹脂で円板形に形成した基体４１の表裏面に、互いに表裏で厚さ方向に合致する位置で細幅に延びる複数の遮光性帯４２を所定間隔おきに印刷してなる。このような簡易な構成によって、光の視認角度を確実に制限することができる。すなわち、レンズ３０の表面から視角制限体４０の裏面に入射した光は、上下に延び横列に並ぶ各遮光性帯４２の隙間を透過する分だけが出射され、表裏何れかの遮光性帯４２に当たった光は出射されない。
【００４１】
これにより、信号灯器１０の左右方向における視認角度は所定の角度範囲内に制限され、信号灯器１０の灯火を、左右方向における一定角度の範囲内でしか見ることができなくなる。ここで視角制限体４０における各遮光性帯４２の配置と、ＬＥＤユニット２０の基板２３上におけるＬＥＤ２２の配置とは必ずしも一致させる必要はなく、また、ＬＥＤ２２の様々な配光に対しても、汎用的に適用することができる。
【００４２】
ここで視認角度を制限する角度範囲は、一律に固定されるものではなく、信号灯器１０の種類や設置箇所に応じて、その都度、適正な角度範囲が定められる。そして、具体的に定められた角度範囲に応じて、視角制限体４０の基体４１の表裏で合致する各遮光性帯４２の幅と、各遮光性帯４２間の隙間の寸法が定まり、その寸法に基づいて基体４１の表裏に遮光性帯４２を印刷することになる。
【００４３】
図３は、具体的な角度範囲を設定する上で、各遮光性帯４２間の隙間の寸法（以下「開口部Ｌ１」）と、各遮光性帯４２の幅の寸法（以下「閉口部Ｌ２」）の関係を模式的に示したものである。図３中の記号で、Ｌ１とＬ２の他は、Ｎ１は空気の絶対屈折率、Ｎ２は基体の絶対屈折率、Ｈｔは基体４１の板厚、Ｈｐは遮光性帯４２の塗膜厚、そしてθ１は制限したい角度（制限角）である。
【００４４】
図３において、開口部Ｌ１と閉口部Ｌ２を定めるには、基体４１の板厚Ｈｔだけではなく、視角制限体４０の表面側の空気の屈折率Ｎ１と、基体４１の屈折率Ｎ２の違い等も加味する必要がある。その他、視角制限体４０に入射した光を、どの程度の光量で出射させるか等、様々なパラメータが関わることになる。  
具体的には例えば、下記の２式を用いて計算することができる。
【００４５】
【数１】
0006609126.tif 000002
【００４６】
【数２】
0006609126.tif 000003
【００４７】
このような式による計算によれば、図３においては、視角制限体４０の正面（０度）以上から図中の制限角度θ１までの光は、閉口部Ｌ２によって制限されることなく、開口部Ｌ１から出射されるが、制限角度θ１を越える角度で入射する光は遮光される。また、角度θ３で入射する光は、基体４１の表面より漏れることになるが、僅かな光量であり問題とはならない。
【００４８】
本レンズユニット３０Ａによれば、レンズ３０と視角制限体４０とを一部品として容易に取り扱うことができ、信号灯器１０における取り付け作業も同時に行うことができる。また、視角制限体４０は、レンズ３０によって保持することができ、レンズ３０の表面は、視角制限体４０によって保護することができる。かかるレンズユニット３０Ａは、一部品として、前述したレンズ３０と視角制限体４０の両方の機能を果たすことになる。
【００４９】
特に、本レンズユニット３０Ａでは、視角制限体４０がレンズ３０の表面の保護材を兼ねることになる。これにより、レンズ３０の表面を保護するようなカバー部材の代わりとなり、信号灯器１０の部品点数を増やすことなく、視認角度を制限することができる。レンズユニット３０Ａは、筐体１１の最前面に位置させて、そのまま筐体１１の外装とすることができる。
【００５０】
また、レンズユニット３０Ａにおいて、レンズ３０と視角制限体４０とは、互いに合致する形状に設けられており、それぞれ周縁同士が溶着される。これにより、レンズ３０と視角制限体４０との全面同士を接着するような必要はなく、これらの間に接着剤中の気泡等を含めた異物が入り込む虞もない。さらに、レンズ３０側に設けた取付片３２によって、信号灯器１０の前面扉１３に容易に取り付けることができる。
【００５１】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、レンズユニット３０Ａを信号灯器１０の筐体１１側に固定するための取付片３２は、レンズ３０側ではなく、視角制限体４０側に設けても良い。
【００５２】
また、レンズユニット３０Ａを備える信号灯器１０は、筐体１１を薄型に形成したフラット型に限られるものでもない。前記実施の形態では、３色灯（三位式）の信号灯器に適用した例を説明したが、これに限られることなく、例えば２色灯の歩行者用信号灯器や矢印灯器や一灯点滅灯器等の他の信号灯器にも適用することができる。あるいは、３色灯（三位式）に矢印灯器や一灯点滅灯器を付加したタイプでも良い。
【００５３】
また、レンズユニット３０Ａの視角制限体４０における基体４１の厚さ、各遮光性帯４２の縦列あるいは横列の向きや寸法等については、実際の信号灯器に求められる視認角度の制限範囲に応じて適宜設定すれば良い。また、各遮光性帯４２の長手方向に延びる形状に関しても、直線状に延びるものに限らず、湾曲させたり屈曲させることも考えられる。また、レンズ３０の具体的な形状や配光特性も、特に限定されるものではない。
【産業上の利用可能性】
【００５４】
本発明は車両や通行人に通行許可ないし停止指示その他の交通規制情報を視認させるための様々な信号灯器のレンズユニットとして広く利用することができる。
【符号の説明】
【００５５】
１０…信号灯器
１１…筐体
１２…本体
１３…前面扉
１４…ヒンジ
１５…留め具
２０…ＬＥＤユニット
２３…基板
３０Ａ…レンズユニット
３０…レンズ
３１…フランジ
４０…視角制限体
４１…基体
４２…遮光性帯
【図１】
0006609126.tif 000004
【図２】
0006609126.tif 000005
【図３】
0006609126.tif 000006
【図４】
0006609126.tif 000007
【図５】
0006609126.tif 000008
【図６】
0006609126.tif 000009
【図７】
0006609126.tif 000010
【図８】
0006609126.tif 000011
【図９】
0006609126.tif 000012